(57)【要約】【課題】  巻線が確実に継線されるコイル部品の提供。【解決手段】  一対の鍔部と巻芯部とを有するドラムコア２と、巻芯部に巻回され一端部３Ａと他端部３Ｂとがドラムコア２外に延出される巻線３と、一対の鍔部の一方に設けられて巻線３が継線される端子金具４とを備えたコイル部品１であって、端子金具４は第一端子５と第二端子６を有し、第一端子５において、一端部３Ａが継線される第一継線部５２を有し、第一継線部５２には第一継線部５２に対する一端部３Ａの位置を規定する第一巻線位置規制部が提供されて第一巻線位置規制部で一端部３Ａを屈曲させ、第二端子６において、他端部３Ｂが継線される第二継線部６２を有し、第二継線部６２には第二継線部６２に対する他端部３Ｂの位置を規定する第二巻線位置規制部が提供されて第二巻線位置規制部で他端部３Ｂを屈曲させている。【選択図】図１
2007258201.tif 000002
【特許請求の範囲】
【請求項１】
柱状の巻芯部と該巻芯部の両端に設けられた一対の鍔部とを有するドラムコアと、
該巻芯部に巻回され一端部と他端部とが該ドラムコア外に延出される巻線と、
該一対の鍔部の一方に設けられて該巻線が継線される端子金具とを備え、
該端子金具は、該巻線の該一端部が継線される第一継線部と該他端部が継線される第二継線部とを有し、
該第一継線部には該第一継線部に対する該巻線の該一端部の位置を規定する第一巻線位置規制部が提供されて該第一巻線位置規制部で該一端部を屈曲させ、
該第二継線部には該第二継線部に対する該巻線の該他端部の位置を規定する第二巻線位置規制部が提供されて該第二巻線位置規制部で該他端部を屈曲させていることを特徴とするコイル部品。
【請求項２】
該第一継線部は該巻線の該一端部を保持する第一巻線保持部と、該巻線の該一端部に電気的に接合される第一電気的接合部と、を備え、
該第二継線部は該巻線の該他端部を保持する第二巻線保持部と、該巻線の該他端部に電気的に接合される第二電気的接合部と、を備え、
該第一巻線保持部は、該巻線の経路上において該第一電気的接合部より該巻回部分側に位置し、
該第二巻線保持部は、該巻線の経路上において該第二電気的接合部より該巻回部分側に位置していることを特徴とする請求項１に記載のコイル部品。
【請求項３】
該第一継線部は第一縁部を有し、該第一縁部の一部は該巻線の該巻回部分から該第一巻線位置規制部に向かう方向と交差する方向に延びて第一巻線位置規制部の一部を構成し、
該第二継線部は第二縁部を有し、該第二縁部の一部は該巻線の該巻回部分から該第二巻線位置規制部に向かう方向と交差する方向に延びて該第二巻線位置規制部の一部を構成していることを特徴とする請求項１または請求項２のいずれか一に記載のコイル部品。
【発明の詳細な説明】
【技術分野】
【０００１】
本発明はコイル部品に関し、特に回路基板に実装されるコイル部品に関する。
【背景技術】
【０００２】
従来、電気回路等において、チョークコイルやノイズフィルタ等のコイル部品が用いられている。このコイル部品は回路基板への実装性を高めるために、フェライト等のコアに巻回された巻線がコアに設けられた端子金具と継線されて構成されている。よってコイル部品は、端子金具を回路上の電極にハンダ等により接合して、回路上に容易に実装することが可能となっている。
【０００３】
コイル部品は、電気回路等に実装される前に、予め巻線が端子金具等に継線されている必要があり、この継線に係る構成としては特許文献１に示されるように、端子部に巻線を巻き付けて継線する構成が開示されている。
【特許文献１】特開平１０−２２１３７号公報
【発明の開示】
【発明が解決しようとする課題】
【０００４】
しかし、従来のコイル部品では、端子部に巻線を絡げたりするのみであったため、絡げた後に端子部と巻線とを電気的に接続、例えば溶接等する際に、絡げた部分がずれて確実に継線が行われないおそれがあった。そこで、本発明は、巻線が端子金具に確実に継線されるコイル部品を提供することを目的とする。
【課題を解決するための手段】
【０００５】
上記課題を解決するために本発明は、柱状の巻芯部と巻芯部の両端に設けられた一対の鍔部とを有するドラムコアと、巻芯部に巻回され一端部と他端部とがドラムコア外に延出される巻線と、一対の鍔部の一方に設けられて巻線が継線される端子金具とを備えたコイル部品を提供する。このコイル部品において、端子金具は、巻線の一端部が継線される第一継線部と他端部が継線される第二継線部とを有し、第一継線部には第一継線部に対する巻線の一端部の位置を規定する第一巻線位置規制部が提供されて第一巻線位置規制部で一端部を屈曲させ、第二継線部には第二継線部に対する巻線の他端部の位置を規定する第二巻線位置規制部が提供されて第二巻線位置規制部で他端部を屈曲させている。
【０００６】
このような構成によると、例えば第一継線部において、ドラムコアから導出した巻線の一端部が屈曲した状態で第一巻線位置規制部に掛かることになる。よって屈曲部分で巻線の配置位置を規定することが可能となる。これにより巻線のずれが防止され、故に継線を確実にすることができる。
【０００７】
また上記構成のコイル部品において、第一継線部は巻線の一端部を保持する第一巻線保持部と巻線の一端部に電気的に接合される第一電気的接合部とを備え、第二継線部は巻線の他端部を保持する第二巻線保持部と巻線の他端部に電気的に接合される第二電気的接合部とを備え、第一巻線保持部は巻線の経路上において第一電気的接合部より巻回部分側に位置し、第二巻線保持部は巻線の経路上において第二電気的接合部より巻回部分側に位置していることが好ましい。
【０００８】
このような構成によると、巻線保持部により巻線を保持した状態で、電気的接合部で巻線と端子金具とを溶接等、電気的に接合して継線することができるので、より正確に継線することが可能となる。
【０００９】
また第一継線部は第一縁部を有しており、この第一縁部の一部は巻線の巻回部分から第一巻線位置規制部に向かう方向と交差する方向に延びて第一巻線位置規制部の一部を構成することが好ましく、第二継線部は第二縁部を有しており、この第二縁部の一部は巻線の巻回部分から第二巻線位置規制部に向かう方向と交差する方向に延びて第二巻線位置規制部の一部を構成していることが好ましい。
【００１０】
このような構成によると、単純な構成により、巻線位置規制部を構成することができる。よって端子金具の構成を単純化することが可能となり、故に巻線位置規制部を含む端子金具を容易に構成することができる。
【発明の効果】
【００１１】
本発明のコイル部品によれば、巻線の端子金具への継線を正確に行うことができる。
【発明を実施するための最良の形態】
【００１２】
以下、本発明の実施の形態によるコイル部品について図１から図５に基づき説明する。コイル部品１は、４ｍｍ四方程度の大きさであり、プリント配線基盤等にリフローハンダ付け等で面実装され、各種電子機器においてチョークコイルとして用いられる部品である。
【００１３】
図１に示されるコイル部品１は、ドラムコア２と、巻線３と、端子金具４とから構成されている。ドラムコア２は、例えばＮｉ−Ｚｎ系の磁性材料を基材として、図２に示されるように、巻芯部２Ａと、一対の鍔部２Ｂ、２Ｃとから構成されている。巻芯部２Ａは略柱状に構成され、巻線３が巻回されている。一対の鍔部２Ｂ、２Ｃはそれぞれ同形かつ略円板状で、巻芯部２Ａの軸方向両端に一体に設けられている。巻芯部２Ａと、一対の鍔部２Ｂ、２Ｃとは同軸的に配置されている。
【００１４】
巻線３は銅線にウレタン被膜が施された被覆銅線から構成されており、巻芯部２Ａに巻回されて一端部３Ａ及び他端部３Ｂで端子金具４（図１）に継線されている。
【００１５】
端子金具４は、燐青銅等の銅合金を基材としており、図３に示されるように、第一端子５と第二端子６とから構成されている。第一端子５と第二端子６とは、並列して配置され、その並列方向と直交する面において対称に構成されている。よって代表として第一端子５について説明する。
【００１６】
第一端子５は第一実装部５１と第一継線部５２とから主に構成されている。第一実装部５１は略長方形の板材より構成されており、その一面側（紙面において上側）がドラムコア２との接合箇所となり、他面側（紙面において下側）が図示せぬ回路基板との実装箇所になっている。この第一実装部５１の長手方向の一端部に第一継線部５２が設けられている。
【００１７】
第一継線部５２は、巻線３が未だ継線されていない状態で、第一実装部５１の平面と平行となるように第一実装部５１との間に屈曲箇所を経て第一実装部５１の一面側に持ち上げられて設けられており、その外周部分に第一周縁５２Ａが規定されている。また第一継線部５２は、第一巻線位置規制部５２Ｂと、第一巻線保持部５２Ｃと、第一電気的接合部５２Ｄとを備えている。
【００１８】
第一巻線位置規制部５２Ｂは、継線部屈曲箇所の近傍に位置する第一周縁５２Ａの一部から規定されており、この第一巻線位置規制部５２Ｂを規定する第一周縁５２Ａの一部は、第一実装部５１の長手方向と直交する方向に延びている。また第一巻線位置規制部５２Ｂに係る第一周縁５２Ａの一部の、第一実装部５１の長手方向と直交する方向の長さは、少なくとも巻線３（図２）の直径より大きくなるように構成されている。
【００１９】
第一巻線保持部５２Ｃは、第一巻線位置規制部５２Ｂを規定する第一周縁５２Ａの一部の近傍位置に設けられており、巻線３を保持可能な腕部を備えている。
【００２０】
第一電気的接合部５２Ｄは、第一巻線位置規制部５２Ｂに対して第一巻線保持部５２Ｃより離間した位置に設けられている。故に第一巻線保持部５２Ｃは、巻線３の経路上において第一電気的接合部５２Ｄより巻芯部２Ａ（図２）における巻回部分側に位置している。第一電気的接合部５２Ｄにおいても、第一巻線保持部５２Ｃと同様の腕部を備えている。
【００２１】
また第一実装部５１において、短手方向の一端部であって、第一実装部５１において反第二端子６側となる位置に一面側に向けて延出された一対の第一フィレット形成片５３、５３が設けられている。第一フィレット形成片５３、５３は、コイル部品１が図示せぬ回路基板に実装される際に、好適にフィレットが形成されるように設けられている。
【００２２】
第二端子６も第一端子と同様に第二実装部６１と、第二継線部６２と、第二フィレット形成片６３、６３が設けられ、第二継線部６２はその外周部分に第二周縁６２Ａが規定されると共に、第二巻線位置規制部６２Ｂと、第二巻線保持部６２Ｃと、第二電気的接合部６２Ｄとを備えている。
【００２３】
上記構成を備えたコイル部品１を製造するには、先ず図４に示されるように、ドラムコア２の一方の鍔部２Ｂに接着剤等により端子金具４が固定される。この時に第一端子５及び第二端子６は、それぞれ第一実装部５１及び第二実装部６１の長手方向が略平行となり、第一継線部５２及び第二継線部６２の向きが同一となるように配置される。その後に図２に示されるように巻芯部２Ａに巻線３が巻回され、巻線３の一端部３Ａと他端部３Ｂとが巻芯部２Ａの巻回位置から延出される。
【００２４】
図５（ａ）に示されるように、巻芯部２Ａ（図３）の巻回位置より延出された一端部３Ａは、第一巻線位置規制部５２Ｂに掛止されて、継線部５２において一面側から他面側に配線され、第一巻線保持部５２Ｃから第一電気的接合部５２Ｄに向かう方向に向けて配線される。
【００２５】
この場合に第一巻線位置規制部５２Ｂにおける第一周縁５２Ａの一部は、一端部３Ａの延出方向と交差する方向である第一巻線保持部５２Ｃから第一電気的接合部５２Ｄに向かう方向に延びている。これに対して一端部３Ａは、第一実装部５１側から第一巻線位置規制部５２Ｂに向かう方向に延出されて第一巻線位置規制部５２Ｂで継線部５２の一面側から他面側へと引回されている。故に、第一巻線位置規制部５２Ｂの前後で巻線３の一端部３Ａが屈曲される。また第一巻線位置規制部５２Ｂを過ぎた巻線３の一端部３Ａは、更に第一巻線保持部５２Ｃから第一電気的接合部５２Ｄに向かう方向へ引回されるため、巻線３の一端部３Ａが更に屈曲される。
【００２６】
巻線３の屈曲部分が第一巻線位置規制部５２Ｂに掛止され、巻線３の配置位置を規定することが可能となる。これにより巻線３の第一端子４に対するずれが防止され、故に巻線３の継線を確実にすることができる。第二端子５においても同様に巻線３の他端３Ｂが配線されるため、巻線３の第二端子４に対するずれが防止され、巻線３の継線を確実にすることができる。
【００２７】
巻線３の一端部３Ａを配線した後に、図５（ｂ）に示されるように、第一巻線保持部５２Ｃ及び第一電気的接合部５２Ｄを屈曲させて一端部３Ａを保持する。この場合に第一巻線保持部５２Ｃでは確実に一端部３Ａを狭持して保持する必要があるが、第一電気的接合部５２Ｄでは少なくとも一端部３Ａが第一電気的接合部５２Ｄにあればよい。同様に第二継線部６２においても、第二巻線保持部６２Ｃ及び第二電気的接合部６２Ｄで他端部３Ｂを保持する。
【００２８】
その後に図５（ｃ）に示されるように、第一電気的接合部５２Ｄより延出されている一端部３Ａを切断し、同様に第二電気的接合部６２Ｄより延出されている他端部３Ｂを切断する。
【００２９】
そして図５（ｄ）に示されるように、図示せぬアーク溶接器により溶接を行い、第一電気的接合部５２Ｄを巻線３の一端部３Ａと共に溶融させる。これにより、継線部５２と巻線３とが電気的に接合され、継線が完了する。第一巻線保持部５２Ｃにより巻線３を保持した後に、第一電気的接合部５２Ｄで巻線３の一端部３Ａと第一端子５とを溶接により電気的に接合して継線することができるので、より正確に継線することができる。第二端子６においても同様に第二巻線保持部６２Ｃにより巻線３を保持した後に、第二電気的接合部６２Ｄにおいて巻線３の他端部３Ｂと第二端子６とを溶接により電気的に接合することができる。
【００３０】
このような端子金具４よると、単純な構成により、第一、第二巻線位置規制部５２Ｂ、６２Ｂを構成することができる。よって端子金具４の構成を単純化することが可能となり、故に第一、第二巻線位置規制部５２Ｂ、６２Ｂを含む端子金具４を容易に構成することができる。
【００３１】
本発明によるコイル部品は、上述の実施の形態に限定されず、特許請求の範囲に記載した範囲で種々の変形や改良が可能である。例えば図６（ａ）に示されるように、第一継線部１５２において、第一巻線保持部１５２Ｃと第一電気的接合部１５２Ｄとを一の腕部を含む構成としても良い。この場合に第一電気的接合部１５２Ｄを溶接する際には、図６（ｂ）に示されるように、第一巻線保持部１５２Ｃのみを残して第一電気的接合部１５２Ｄ部分を溶接する。このような構成においても、少なくとも、第一巻線保持部１５２Ｃで巻線１０３を保持した後に第一電気的接合部１５２Ｄで第一端子１０５と巻線１０３とが電気的に接合されるため、好適に継線を行うことができる。
【００３２】
また実施の形態に係る第一巻線位置規制部５２Ｂでは、第一周縁５１Ａの一部と、第一巻線保持部５２Ｃの腕部とが交わる箇所であって略直交する角部位置に巻線３を配置しているが、第一周縁５１Ａの一部と、第一巻線保持部５２Ｃの腕部とが交わる箇所を曲線状に面取りした状態に構成しても良い。この場合に、第一巻線位置規制部５２Ｂに係る第一周縁５２Ａの一部となる縁部長さが巻線３の直径より大きくなるように構成されていれば良い。
【図面の簡単な説明】
【００３３】
【図１】本発明の実施の形態に係るコイル部品の斜視図。
【図２】本発明の実施の形態に係るコイル部品のコアと巻線を示す側面図。
【図３】本発明の実施の形態に係るコイル部品の端子金具に係る斜視図。
【図４】本発明の実施の形態に係るコイル部品の底面図。
【図５（ａ）】本発明の実施の形態に係るコイル部品の継線部周辺を示す部分斜視図であって巻線が配線された状態を示す図。
【図５（ｂ）】本発明の実施の形態に係るコイル部品の継線部周辺を示す部分斜視図であって巻線が保持された状態を示す図。
【図５（ｃ）】本発明の実施の形態に係るコイル部品の継線部周辺を示す部分斜視図であって巻線が切断された状態を示す図。
【図５（ｄ）】本発明の実施の形態に係るコイル部品の継線部周辺を示す部分斜視図であって巻線が継線された状態を示す図。
【図６（ａ）】本発明の実施の形態の変形例に係るコイル部品の継線部周辺を示す部分斜視図であって巻線が配線された状態を示す図。
【図６（ｂ）】本発明の実施の形態の変形例に係るコイル部品の継線部周辺を示す部分斜視図であって巻線が継線された状態を示す図。
【符号の説明】
【００３４】
１・・コイル部品  ２・・ドラムコア  ２Ａ・・巻芯部  ２Ｂ、２Ｃ・・鍔部
３・・巻線  ３Ａ・・一端部  ３Ｂ・・他端部  ４・・端子金具  ５・・第一端子
６・・第二端子  ５１・・第一実装部  ５２・・第一継線部  ５１Ａ・・第一周縁
５２Ｂ・・第一巻線位置規制部  ５２Ｃ・・第一巻線保持部
５２Ｄ・・第一電気的接合部  ５３・・第一フィレット形成片  ６１・・第二実装部
６２・・第二継線部  ５１Ａ・・第一周縁  ６２Ｂ・・第二巻線位置規制部
６２Ｃ・・第二巻線保持部  ６２Ｄ・・第二電気的接合部
６３・・第二フィレット形成片
【図１】
2007258201.tif 000003
【図２】
2007258201.tif 000004
【図３】
2007258201.tif 000005
【図４】
2007258201.tif 000006
【図５（ａ）】
2007258201.tif 000007
【図５（ｂ）】
2007258201.tif 000008
【図５（ｃ）】
2007258201.tif 000009
【図５（ｄ）】
2007258201.tif 000010
【図６（ａ）】
2007258201.tif 000011
【図６（ｂ）】
2007258201.tif 000012